(57)【要約】【課題】プリント配線板の面積を小型化すべく配線パターンの幅を例えば１ｍｍ以下としたときにも、配線パターンの断線がないようにすることを目的とする。【解決手段】一方の面に所望の回路パターンが形成されたプリント配線板において、この回路パターンの所定の配線パターン１３に対応する他方の面にこの所定配線パターン１３と並列にジャンパーワイヤー１４をマウントしたものである。【選択図】　　　　図２
2004079795.tif 000002
【特許請求の範囲】
【請求項１】
一方の面に所望の回路パターンが形成されたプリント配線板において、
前記回路パターンの所定の配線パターンに対応する他方の面に前記所定配線パターンと並列にジャンパーワイヤーをマウントしたことを特徴とするプリント配線板。
【請求項２】
請求項１記載のプリント配線板において、
前記所定の配線パターンの幅が１ｍｍ以下であることを特徴とするプリント配線板。
【請求項３】
請求項１記載のプリント配線板において、
前記回路パターンは電源回路の配線パターンであることを特徴とするプリント配線板。
【発明の詳細な説明】
【０００１】
【発明の属する技術分野】
本発明は電子機器の例えば電源回路部等に適用して好適なプリント配線板に関する。
【０００２】
【従来の技術】
従来電子機器の電源回路の例として図４に示す如きものが使用されている。図４において、１は商用電源が供給される電源プラグを示し、この電源プラグ１の一端をヒューズ２、電源スイッチ３及びインラッシュ制限抵抗器４の直列回路を介してダイオードのブリッジ構成の両波整流回路５の一方の入力端子に接続し、この電源プラグ１の他端をこの両波整流回路５の他方の入力端子に接続する。
【０００３】
この両波整流回路５の正極出力端子を平滑用のコンデンサ６を介して、この両波整流回路５の負極出力端子に接続すると共にこの両波整流回路５の正極出力端子をＤＣ−ＤＣコンバータ７の入力側に接続し、このＤＣ−ＤＣコンバータ７で所定電圧の直流電圧を得、これを直流出力端子８に供給する如くする。
【０００４】
この図４に示す如き電源回路の回路パターンをプリント配線板に形成するときは、図５に示す如く絶縁基板１０上の配線パターン１１ａ及び１１ｂ間の間隔Ｌは安全規格により３ｍｍ以上とされ且つこの配線パターン１１ａ及び１１ｂの幅Ｗは例えば３ｍｍとされていた。
【０００５】
ところで、電子機器を小型化するため、プリント配線板の面積を小型化することが考えられる。このプリント配線板の面積を小型化したときには、配線パターン１１ａ及び１１ｂ間の間隔Ｌは安全規格より３ｍｍ以上必要とするので、この配線パターン１１ａ及び１１ｂの幅Ｗを狭く、例えば１ｍｍ〜２ｍｍとする如くしていた。
【０００６】
従来、このプリント配線板の配線パターン１１ａ，１１ｂの幅Ｗを例えば１ｍｍ〜２ｍｍしたときには、図４に示す如き電源回路においては、例えばコンデンサ６のショート試験を行ったときには両波整流回路５の正極出力端子側には例えば１０Ａと過大電流が流れるが、この幅Ｗを例えば１ｍｍ〜２ｍｍの配線パターン１１ａ，１１ｂでは電流容量が小さく断線する不都合があった。
【０００７】
この発線パターン１１ａ，１１ｂが断線したときには、オーストラリアの安全規格では配線パターン間の電圧が「潜在着火源」となるとされ、この配線パターン１１ａ，１１ｂが断線することは、この安全規格に合わないこととなる。
【０００８】
そこで従来、この配線パターン１１ａ，１１ｂの幅を例えば１ｍｍ〜２ｍｍとしたときには電源回路の両波整流回路５の出力側の如く大電流の流れる配線パターン１１ａ，１１ｂ部において、図６に示す如く、この配線パターン１１ａ，１１ｂ上のレジストを剥がし、この配線パターン１１ａ，１１ｂ上に半田１２を盛り電流容量を増す如くしていた。
【０００９】
【発明が解決しようとする課題】
然しながら、このプリント配線板の面積を更に小型化すべく、この配線パターン１１ａ，１１ｂの幅を例えば１ｍｍ以下としたときにはこの半田１２の盛り量が少なくなり、電流容量を増すことができない不都合があった。
【００１０】
本発明は斯る点に鑑み、プリント配線板の面積を小型化すべく、配線パターンの幅を例えば１ｍｍ以下としたときにも、配線パターンの断線がないようにすることを目的とする。
【００１１】
【課題を解決するための手段】
本発明プリント配線板は一方の面に所望の回路パターンが形成されたプリント配線板において、この回路パターンの所定の配線パターンに対応する他方の面にこの所定配線パターンと並列にジャンパーワイヤーをマウントしたものである。
【００１２】
斯る本発明によれば、回路パターンの所定の配線パターンに対応する他方の面にこの所定の配線パターンと並列にジャンパーワイヤーをマウントしたので、この所定の配線パターンの幅が例えば１ｍｍであってもこの部分の抵抗値が小さくなり、例えば３ｍｍ幅の配線パターンと同等の電流容量となり、この配線パターンの断線を防止できる。
【００１３】
【発明の実施の形態】
以下、図１〜図３を参照して本発明プリント配線板の実施の形態の例につき説明する。この図１〜図３において図４、図５に対応する部分には同一符号を付して示す。
【００１４】
図１は電子機器の電源回路の例を示し、この図１において、１は商用電源が供給される電源プラグを示し、この電源プラグ１の一端をヒューズ２、電源スイッチ３及びインラッシュ制限抵抗器４の直列回路を介してダイオードのブリッジ構成の両波整流回路５の一方の入力端子に接続し、この電源プラグ１の他端をこの両波整流回路５の他方の入力端子に接続する。
【００１５】
この両波整流回路５の正極出力端子を平滑用コンデンサ６を介して、この両波整流回路５の負極出力端子に接続すると共にこの両波整流回路５の正極出力端子をＤＣ−ＤＣコンバータ７の入力側に接続し、このＤＣ−ＤＣコンバータ７で所定電圧の直流電圧を得、これを直流出力端子８に供給する如くする。
【００１６】
本例においては、この図１に示す如き電源回路の回路パターンを小型化したプリント配線板に形成するときは、図２、図３に示す如く、絶縁基板１０上の配線パターン１３ａ及び１３ｂ間の間隔Ｌを安全規格により３ｍｍ以上とするが、このプリント配線板を更に小型化するため、この配線パターン１３ａ，１３ｂの幅Ｗを例えば１ｍｍとする。
【００１７】
本例においては図１〜図３に示す如く、両波整流回路５の正極出力端子５ａとコンデンサ６の接続点６ａと間の配線パターン１３に対応する他方の面（部品取付面）に、この配線パターン１３と並列にジャンパーワイヤー１４をマウントする。
【００１８】
このジャンパーワイヤー１４としては例えば１ｍｍ径の鉄線にスズメッキしたメッキジャンパーワイヤーを使用する。このジャンパーワイヤー１４は絶縁基板１０の配線パターン１３ａ（１３ｂ）の両波整流回路５の正極出力端子５ａ及びコンデンサ６の接続点６ａの夫々に対応する部分に孔１０ａ及び１０ｂを形成し、このジャンパーワイヤー１４の一端及び他端を夫々この孔１０ａ及び１０ｂに挿入する如くし、部品等を半田付けするときに同時にこのジャンパーワイヤー１４の一端及び他端をこの出力端子５ａ部及び接続点６ａ部に半田付けする如くする。
【００１９】
本例においては、その他は従来同様に構成する。
【００２０】
本例によれば電源回路の回路パターンの過大電流が流れる両波整流回路５の正極出力端子５ａと平滑用コンデンサ６の接続点６ａとの間の配線パターン１３に対応するプリント配線板の他方の面にこの配線パターン１３と並列接続してジャンパーワイヤー１４をマウントしたので、この配線パターン１３の幅が１ｍｍであっても、この部分の抵抗値が小さくなり、例えば３ｍｍ幅の配線パターンと同等の電流容量となり、コンデンサ６のショート試験等により過大電流例えば１０Ａの電流が流れても、この配線パターン１３の配線を防止することができる。
【００２１】
従って本例を使用することにより、配線パターン１３ａ，１３ｂを１ｍｍ以下の幅としても断線を防止でき、プリント配線板の小型化を図ることができ、電子機器の小型化を図ることができる。
【００２２】
尚上述例においては、本発明を電源回路の回路パターンの両波整流回路５の正極出力端子５ａと平滑用コンデンサ６の接続点６ａとの間の配線パターン１３に適用した例につき述べたが、必要に応じ所定配線パターン部に本発明を適用しても良いことは勿論である。また配線パターンの幅を部分的に細くしなければならない部分等にも本発明を適用できる。
【００２３】
また、本発明は上述例に限ることなく本発明の要旨を逸脱することなくその他種々の構成が取り得ることは勿論である。
【００２４】
【発明の効果】
本発明によれば、プリント配線板の回路パターンの所定の配線パターンに対応する他方の面にこの所定の配線パターンと並列にジャンパーワイヤーをマウントしたので、この所定の配線パターンの幅が例えば１ｍｍであっても、この部分の抵抗値が小さくなり、例えば３ｍｍ幅の配線パターンと同等の電流容量となり、この配線パターンの断線を防止できる。
【図面の簡単な説明】
【図１】本発明プリント配線板の実施の形態の例を適用する電源回路の例を示す接続図である。
【図２】本発明プリント配線板の実施の形態の例を示す断面図である。
【図３】図２の要部の例を示すプリント配線板の他の面の切欠平面図である。
【図４】従来の電源回路の例を示す接続図である。
【図５】従来のプリント配線板の例を示す切欠平面図である。
【図６】従来のプリント配線板の例を示す切欠平面図である。
【符号の説明】
５‥‥両波整流回路、５ａ‥‥正極出力端子、６‥‥平滑用コンデンサ、６ａ‥‥接続点、１０‥‥絶縁基板、１３，１３ａ，１３ｂ‥‥配線パターン、１４‥‥ジャンパーワイヤー
【図１】
2004079795.tif 000003
【図２】
2004079795.tif 000004
【図３】
2004079795.tif 000005
【図４】
2004079795.tif 000006
【図５】
2004079795.tif 000007
【図６】
2004079795.tif 000008